(57)【要約】【課題】外設型の燃料貯留装置を保温することにより、気温低下時における燃費効率を改善しようとするもので、様々な保温対象装置に幅広く対応でき、またあらかじめ設定された保温温度を長期的に維持できる構造の保温具を提供する。【解決手段】保温対象装置の形状に追従して変形可能な柔軟性を有して形成された面状発熱体２と、電源接続部３と、発熱温度を調節するための温度自動調整部材４とを備えた保温具１であって、前記面状発熱体２を、燃料貯留装置１１の外側面に着脱自在に巻装するように構成する。【選択図】図１
0003130599.tif 000002
【実用新案登録請求の範囲】
【請求項１】
保温対象装置の形状に追従して変形可能な柔軟性を有して形成された面状発熱体と、電源接続部と、発熱温度を調節するための温度自動調整部材とを備えた保温具であって、前記面状発熱体を、燃料貯留装置の外側面に着脱自在に巻装するように構成したことを特徴とする燃料貯留装置の保温具。
【請求項２】
上記した面状発熱体が、平布状または帯状または格子状のいずれかの形状であることを特徴とする請求項１に記載の燃料貯留装置の保温具。
【請求項３】
上記した燃料貯留装置が液体燃料の貯留装置であり、且つその使用場所が屋外であることを特徴とする請求項１に記載の燃料貯留装置の保温具。
【考案の詳細な説明】
【技術分野】
【０００１】  本考案は、例えばトラックやダンプカー等のような各種車両（乗用車タイプのものは除く）の燃料タンクや、屋外に設置される型式のストーブ用燃料容器などのように、外気の影響を直接的に受ける屋外使用型の液体燃料貯留装置（以下、これらを外設型の燃料貯留装置と称する）の保温具に係るものである。【０００２】  ガソリン、灯油、軽油、重油等の各種液体燃料は、その消費効率が温度によって左右され、最も消費効率のよい温度が３０℃前後であるという統計が出されている。したがって上述のような外設型の燃料貯留装置は、夏期における燃料の消費効率は非常に良好であるが、秋期から翌年の春期にかけては消費効率が極端に低下するという現象が生じており、また寒冷地における容器や装置の凍結なども大きな問題であった。【０００３】  本考案は、上述した気温低下時における燃料消費効率の改善等を実現すべく、外設型の燃料貯留装置を適宜温度で保温するための保温具に関するものである。
【背景技術】
【０００４】  従来、容器や装置等を保温するための設備または用具としては、燃料用液化ガスボンベを保持ケース内に収容し、化学的発熱体を用いてそのガスボンベの側面や底面を温めるようにした燃料用液化ガスボンベ保温装置がある（例えば、特許文献１参照。）。また簡単に折り畳んで保管でき、且つ商品容器の外側に密接して装着できる合成樹脂発泡体製の容器の保冷保温具も提案されている（例えば、特許文献２参照。）。
【特許文献１】実開平２−３３９９９号公報
【特許文献２】実開平６−３７１４２号公報
【考案の開示】
【考案が解決しようとする課題】
【０００５】  上記した特許文献１に記載された考案は、所定のガスボンベのみに対応できる構造となっており、形状の異なる各種の燃料貯留装置に対して広汎に使用することができないという欠点があった。【０００６】  また特許文献２に記載された考案は、保温具自体には発熱機能が付与されておらず、合成樹脂発泡体によって外気から受ける影響を緩和する構成となっているので、気温低下時あるいは寒冷地における外設型の燃料貯留装置に対して、大きな保温効果が期待できないという不具合があった。【０００７】  さらに両特許文献の考案は、比較的小型の容器または装置を保温対象としており、本考案が対象とするようなやや大型な装置の保温には適用し難く、また該両考案のものには温度調節手段が講じられていないので、外気の温度変化に応じて発熱温度を自動的に変更したり、一定温度に維持したりすることが不可能であるという顕著な問題点があった。【０００８】  そこで本考案は、様々な保温対象装置に対して広汎に対応することができ、またその発熱温度が外気の変化に応じて自動的に調節可能で、あらかじめ設定された温度を長期的に維持することができるように構成した外設型燃料貯留装置の保温具の提供を目的とするものである。
【課題を解決するための手段】
【０００９】  上記の目的を達成するため、本考案は以下のような技術的手段を講じるものである。
すなわち請求項１に記載の本考案は、保温対象装置の形状に追従して変形可能な柔軟性を有して形成された面状発熱体と、電源接続部と、発熱温度を調節するための温度自動調整部材とを備えた保温具であって、前記面状発熱体を、燃料貯留装置の外側面に着脱自在に巻装するように構成したことを特徴とする燃料貯留装置の保温具である。【００１０】  また請求項２に記載の本考案は、請求項１に記載の燃料貯留装置の保温具において、上記した面状発熱体が、平布状または帯状または格子状のいずれかの形状であることを特徴とするものである。【００１１】  さらに請求項３に記載の本考案は、請求項１に記載の燃料貯留装置の保温具において、上記した燃料貯留装置が液体燃料の貯留装置であり、且つその使用場所が屋外であることを特徴とするものである。
【考案の効果】
【００１２】  本考案による保温具を外設型の燃料貯留装置に装着することにより、秋期から翌年の春期に至る間の温度低下時や北海道等の寒冷地においても燃料の消費効率を良好に持続させることができるので、従来の冬季に比較して燃費の削減と不純物の排出量を抑制することが可能となり、且つ該当装置の凍結も防止することができるという多大な効果があるばかりでなく、面状発熱体に適宜な柔軟性が付与されているので、様々な燃料貯留装置に対して広汎に使用することが出来るという有益な効果を奏するものである。さらに本考案の保温具には温度自動調整部材が取付けられていて、外気の温度変化に応じて発熱温度を調節し、あらかじめ設定された一定温度に維持することができるようになっているので、燃料貯留装置を効率的且つ効果的に保温することができ、また必要以上の高温加熱となって不測の事故を招来することがないという長所もある。さらにまた本考案は、その主たる構成部が肉厚の小さい平面状に形成されているので、不使用時の収納や商品輸送等において大きなスペースが不要であるという利点があるとともに、面状発熱体が、平布状、帯状、格子状のいずれかの形状となっているので、保温対象装置の形状に最も適した保温具を選択して使用することができるという利点がある。
【考案を実施するための最良の形態】
【００１３】  平布状または帯状または格子状のいずれかに形成された面状発熱体と、電源接続部と、温度自動調整部材とにより構成された保温具を、外温の低下時に燃料貯留装置の外側面に巻装して実施する。
【実施例１】
【００１４】  本考案の第１の実施例を図１乃至図３に基いて説明するが、本実施例においては、保温対象装置を、図２に示すように、送油パイプ１４がエンジン１２に延伸され、またその上部に油注入口１３が設けられた形状で、一般的に燃料タンクと称されているトラック用の燃料貯留装置１１とするものとする。【００１５】  また本考案に成る保温具１は、図１に示すように、面状発熱体２と、電源接続部３と、温度自動調整部材４とを主たる構成材とするもので、以下にそれらの各構成材について順次説明する。【００１６】  面状発熱体２は、保温対象となる燃料貯留装置１１の形状に追従して変形し得るような柔軟性を有する方形の平布状に形成されている。また面状発熱体に用いる発熱素子としては、面状発熱素子、線状発熱素子のいずれを用いてもよいが、本実施例では、ニッケルクロム、銅ニッケル、鉄クロムなどの金属抵抗線を電気絶縁材料で被覆した線状素子やカーボンファイバーの発熱素子等から成る発熱素子６が用いられており、その発熱素子６を図示のように本体部５に張り巡らせて、面状発熱体２を形成している。【００１７】  上記した面状発熱体２は、図１に示すような方形の平布状に形成してもよいが、図示しない帯状や格子状に形成してもよい。この場合に、面状発熱体２を平布状、帯状、格子状のいずれか１種類のみに限定して製造してもよいが、３種類の形状のものをそれぞれ準備すれば、使用対象となる燃料貯留装置１１の形状に合わせて、最も適合するものを選択することができ、また燃料貯留装置１１の外側全体を保温したり、保温が必要な箇所を重点的または部分的に保温することも可能となり、より多角的な保温を行うことができるので非常に好適である。なお前記した帯状や格子状の面状発熱体においても、平布状の場合と同様に、保温対象となる燃料貯留装置１１の形状に追従して変形し得るような柔軟性を付与するものとする。【００１８】  電源接続部３は、面状発熱体２に電力を供給する部分を指すもので、面状発熱体２の電極に接続されたコード８の他端にプラグ７を取付けたものである。このプラグ７は、家庭用１００Ｖ電源への差し込みプラグ、または自動車電源に接続可能なプラグであるが、本実施例においては、保温対象装置がトラックの燃料タンクであるので、自動車電源接続用プラグとするものとする。【００１９】  温度自動調整部材４は、前記したコード８の中間部に取付けられたもので、あらかじめ記憶された温度で維持されるように、外気の温度変化に応じて発熱温度を自動的に調節するように設定されている。なおこの温度自動調整部材４の取付位置はコードの中間部に限定するものではないので、発熱温度を調節できる位置であれば、如何なる部位に取付けても差し支えない。【００２０】  本考案は、以上のように構成された燃料貯留装置の保温具１である。この保温具１は、秋期になって外温が所定温度以下に低下し始めた時期に、図３に示すような形態で、燃料貯留装置１１に装着するようにする。すなわち面状発熱体２を燃料貯留装置１１の外側面に巻装するとともに、紐やホック等の適宜な係止部材を介して留め付け、また電源接続部３のプラグ７を電源に接続した後に、温度自動調整部材４を作動可能状態にセットしておく。���お春期になって保温の必要性がなくなった場合は、不要となった保温具１を取外して別途に保管するようにする。【００２１】  上述したように本考案は、面状発熱体２に、保温対象となる燃料貯留装置１１の形状に追従して適宜に変形し得るような柔軟性を付与し、その面状発熱体２を対象装置の外側面に巻装するような構成となっている。なおこの面状発熱体２を、所定の保温対象装置用として限定形状に成型することも可能であるが、そのような構造のものに比較して、柔軟性を有する面状発熱体を用いる方が、使用対象範囲が広く採算性も高いので好適である。
【実施例２】
【００２２】  続いて、図４を参照しながら、本考案の第２の実施例について説明する。本実施例は、暖房需要の大きい寒冷地に適した例であり、保温対象装置は、ストーブ２２に灯油（または重油）を供給するために屋外に設置された燃料貯留装置２１である。なお図４においては、屋内に配置されたストーブ２２と屋外に設置された燃料貯留装置２１の間を、建築物構造体２３を貫通して設けた送油パイプ２４で連結して給油するようになっているが、本考案は、このように送油パイプ２４を介して直接給油せずに、燃料貯留装置２１から灯油（重油）を小型のポリタンクに移し替え、その都度ポリタンクから給油するような場合にも適用することができる。【００２３】  この実施例で使用される保温具１の構造も、実施例１で説明した保温具１とほぼ同様に設けられたもので、燃料貯留装置２１の外側面に面状発熱体２を巻装して留め付け、家庭用１００Ｖ電源にプラグ７を差し込んで通電するようになっている。【００２４】  なお本考案に成る保温具の使用対象は、上記した如くに、屋外において外気の影響を直接的に受けながら使用される形態の液体燃料用装置であるが、面状発熱体の大きさや形状を変更することによって、例えば食用魚の屋外水槽などのような燃料貯留装置以外の様々な設備や容器の保温に役立てることも可能である。
【図面の簡単な説明】
【００２５】
【図１】本考案に成る燃料貯留装置の保温具を示す斜視図である。
【図２】実施例１における燃料貯留装置を示す一部拡大側面図である。
【図３】実施例１の使用状態を示す斜視図である。
【図４】実施例２の使用状態を示す一部断面側面図である。
【符号の説明】
【００２６】  １  保温具
２  面状発熱体
３  電源接続部
４  温度自動調整部材
５  本体部
６  発熱素子
７  プラグ
８  コード
１１，２１  燃料貯留装置
【図１】
0003130599.tif 000003
【図２】
0003130599.tif 000004
【図３】
0003130599.tif 000005
【図４】
0003130599.tif 000006